(57)【要約】【課題】異なる搬送波周波数で変調された複数メーカーのＡＶ機器のリモコン操作を行うことができる双方向通信システムを提供することを目的とする。【解決手段】外部入力装置３００の遠隔操作手段３１０より無線信号で送られてくる操作信号を搬送波を含んだ状態でサンプリング処理してデジタルデータ化し、該データをベース装置２００に通信回線３２０経由で送信する表示装置１００と、この外部入力装置３００が接続され、この表示装置１００から送信されたこのデータを基にこの操作信号を復元し、この外部入力装置３００に対し復元されたこの操作信号の無線信号を送信するベース装置２００とからなり、この外部入力装置３００においてこのベース装置２００から送信されたこの操作信号に応じた処理がなされるとともに情報信号が形成され、該情報信号がこのベース装置２００を介してこの表示装置１００に送信されるようにする。【選択図】  図１
2004241925.tif 000002
【特許請求の範囲】
【請求項１】
外部入力装置の遠隔操作手段より中継機器に無線信号で送られてくる操作信号を搬送波を含んだ状態でサンプリング処理してデジタルデータ化し、
該データを基に前記操作信号を復元し、
当該中継機器と接続された外部入力装置に対し復元された前記操作信号の無線信号を送信する
ようにしたことを特徴とする信号伝送方法。
【請求項２】
請求項１に記載の信号伝送方法において、
前記中継機器は、前記遠隔操作手段からの操作信号を受信する表示装置と、該表示装置と通信回線で接続され前記外部入力装置に操作信号を送信するベース装置とから構成されている
ことを特徴とする信号伝送方法。
【請求項３】
外部入力装置の遠隔操作手段より中継機器に無線信号で送られてくる操作信号の搬送波の周波数を判別するとともに前記操作信号の搬送波成分を除去して得られる信号をデジタルデータ化し、
前記周波数判別情報および前記データを基に前記操作信号を再生し、
当該中継機器と接続された外部入力装置に対し再生された前記操作信号の無線信号を送信する
ようにしたことを特徴とする信号伝送方法。
【請求項４】
請求項３に記載の信号伝送方法において、
前記中継機器は、前記遠隔操作手段からの操作信号を受信する表示装置と、該表示装置と通信回線で接続され前記外部入力装置に操作信号を送信するベース装置とから構成されている
ことを特徴とする信号伝送方法。
【請求項５】
外部入力装置の遠隔操作手段より無線信号で送られてくる操作信号を搬送波を含んだ状態でサンプリング処理してデジタルデータ化し、該データをベース装置に通信回線経由で送信する表示装置と、
前記外部入力装置が接続され、前記表示装置から送信された前記データを基に前記操作信号を復元し、前記外部入力装置に対し復元された前記操作信号の無線信号を送信するベース装置とからなり、
前記外部入力装置において前記ベース装置から送信された前記操作信号に応じた処理がなされるとともに情報信号が形成され、該情報信号が前記ベース装置を介して前記表示装置に送信される
ようにしたことを特徴とする双方向通信システム。
【請求項６】
外部入力装置の遠隔操作手段より無線信号で送られてくる操作信号を受信し、サンプリング処理手段および搬送波除去手段に出力する遠隔操作信号受信手段と、
前記遠隔操作信号受信手段からの前記操作信号をサンプリング処理してデジタルデータ化するサンプリング処理手段と、
前記操作信号受信手段からの前記操作信号より搬送波成分を除去する搬送波除去手段と、
搬送波成分が除去された前記操作信号をデジタルデータ化するデジタル変換手段と、
前記サンプリング処理手段およびデジタル変換手段にてデジタルデータ化された操作信号を送信する操作信号送信手段と
を備える表示装置と、
前記外部入力装置が接続され、
前記表示装置から送信された前記操作信号を通信回線を介し受信する操作信号受信手段と、
受信された操作信号より前記遠隔操作信号受信手段が受信した操作信号を復元する操作信号復元手段と、
復元された操作信号を前記外部入力装置に無線信号にて送信する無線操作信号送信手段と
を備えるベース装置とからなり、
前記外部入力装置において前記ベース装置から送信された前記操作信号に応じた処理がなされるとともに情報信号が形成され、該情報信号が前記ベース装置を介して前記表示装置に送信される
ようにしたことを特徴とする双方向通信システム。
【請求項７】
請求項５または６に記載の双方向通信システムにおいて、
前記表示装置は、該表示装置の動作を制御する制御手段または前記デジタル変換手段において、前記遠隔操作手段より送られた操作信号が前記外部入力装置に対する制御信号でないと判断された場合、サンプリング処理された前記操作信号を前記ベース装置に送信しないようにしたことを特徴とする双方向通信システム。
【請求項８】
外部入力装置の遠隔操作手段より無線信号で送られてくる操作信号の搬送波の周波数を判別するとともに前記操作信号の搬送波成分を除去して得られる信号をデジタルデータ化し、前記周波数判別情報および前記データをベース装置に通信回線経由で送信する表示装置と、
前記外部入力装置が接続され、前記表示装置から送信された前記周波数判別情報および前記データを基に前記操作信号を再生し、前記外部入力装置に対し再生された前記操作信号の無線信号を送信するベース装置とからなり、
前記外部入力装置において前記ベース装置から送信された前記操作信号に応じた処理がなされるとともに情報信号が形成され、該情報信号が前記ベース装置を介して前記表示装置に送信される
ようにしたことを特徴とする双方向通信システム。
【請求項９】
外部入力装置の遠隔操作手段より無線信号で送られてくる操作信号を受信し、搬送波周波数判別手段および搬送波除去手段に出力する遠隔操作信号受信手段と、
前記遠隔操作信号受信手段からの前記操作信号の搬送波成分の周波数を判別する搬送波周波数判別手段と、
前記遠隔操作信号受信手段からの前記操作信号より搬送波成分を除去する搬送波除去手段と、
前記搬送波除去手段にて前記搬送波成分が除去された前記操作信号をデジタルデータ化するデジタル変換手段と、
前記周波数判別情報および前記デジタルデータ化された操作信号を送信する操作信号送信手段と
を備える表示装置と、
前記外部入力装置が接続され、
前記表示装置から送信された前記周波数判別情報および前記操作信号を通信回線を介し受信する操作信号受信手段と、
受信された周波数判別情報に基いて搬送波を生成する搬送波生成手段と、
受信された操作信号をデジタルデータ化される前のアナログ操作信号に変換するアナログ変換手段と、
前記生成された搬送波に前記アナログ変換手段により変換された操作信号を重畳して、前記遠隔操作信号受信手段が受信した操作信号を再生する操作信号再生手段と、
再生された操作信号を前記外部入力装置に無線信号にて送信する無線操作信号送信手段と
を備えるベース装置とからなり、
前記外部入力装置において前記ベース装置から送信された前記操作信号に応じた処理がなされるとともに情報信号が形成され、該情報信号が前記ベース装置を介して前記表示装置に送信される
ようにしたことを特徴とする双方向通信システム。
【請求項１０】
請求項８または９に記載の双方向通信システムにおいて、
前記表示装置は、該表示装置の動作を制御する制御手段または前記デジタル変換手段において、前記遠隔操作手段より送られた操作信号が前記外部入力装置に対する制御信号でないと判断された場合、前記周波数判別情報を前記ベース装置に送信しないようにしたことを特徴とする双方向通信システム。
【請求項１１】
外部入力装置の遠隔操作手段より無線信号で送られてくる操作信号を受信し、サンプリング処理手段および搬送波除去手段に出力する遠隔操作信号受信手段と、
前記遠隔操作信号受信手段からの前記操作信号をサンプリング処理してデジタルデータ化するサンプリング処理手段と、
前記操作信号受信手段からの前記操作信号から搬送波成分を除去する搬送波除去手段と、
搬送波成分が除去された前記操作信号をデジタルデータ化するデジタル変換手段と、
前記サンプリング処理手段および／またはデジタル変換手段にてデジタルデータ化された操作信号を送信する操作信号送信手段と
を備えることを特徴とする表示装置。
【請求項１２】
外部入力装置の遠隔操作手段より無線信号で送られてくる操作信号を受信し、搬送波周波数判別手段および搬送波除去手段に出力する遠隔操作信号受信手段と、
前記遠隔操作信号受信手段からの前記操作信号の搬送波成分の周波数を判別する搬送波周波数判別手段と、
前記遠隔操作信号受信手段からの前記操作信号より搬送波成分を除去する搬送波除去手段と、
前記搬送波除去手段にて前記搬送波成分が除去された前記操作信号をデジタルデータ化するデジタル変換手段と、
前記周波数判別情報および／または前記デジタルデータ化された操作信号を送信する操作信号送信手段と
を備えることを特徴とする表示装置。
【請求項１３】
外部入力装置が接続され、
前記外部入力装置の遠隔操作手段の操作信号の搬送波を含んだ状態でサンプリング処理しデジタルデータ化した操作信号を受信する操作信号受信手段と、
受信された操作信号より前記遠隔操作手段から前記表示装置に送信された操作信号を復元する操作信号復元手段と、
復元された操作信号を前記外部入力装置に無線信号にて送信する無線操作信号送信手段と
を備えることを特徴とするベース装置。
【請求項１４】
外部入力装置が接続され、
前記外部入力装置の遠隔操作手段の操作信号の搬送波周波数を判別した情報と前記操作信号の搬送波成分を除去して得られる信号をデジタルデータ化した操作信号を受信する操作信号受信手段と、
受信された周波数判別情報に基いて搬送波を生成する搬送波生成手段と、
受信された操作信号をデータ化される前のアナログ信号に変換するアナログ変換手段と、
前記生成された搬送波に前記アナログ変換手段により変換された操作信号を重畳して、前記遠隔操作手段から前記表示装置に出力された操作信号を再生する操作信号再生手段と、
再生された操作信号を前記外部入力装置に無線信号にて送信する無線操作信号送信手段と
を備えることを特徴とするベース装置。
【発明の詳細な説明】
【０００１】
【発明の属する技術分野】
本発明は、例えば、ベース装置と表示装置と間で双方向に通信を行い、ベース装置に接続された外部入力装置を、同じくベース装置に接続されたＡＶリモコンを用い、遠隔操作手段から表示装置およびベース装置等の中継機器を中継して遠隔操作する信号伝送方法、双方向通信システム、表示装置およびベース装置に関する。
【０００２】
【従来の技術】
従来、例えば、図６に示すような表示装置１００とベース装置２００が無線または有線の通信回線（以下、ネットワークと称する。）３２０によって双方向で通信を行い、ベース装置２００に接続されたＤＶＤ（Ｄｉｇｉｔａｌ  Ｖｅｒｓａｔｉｌｅ  Ｄｉｓｃ）プレーヤ３００等の外部入力機器を、同じくベース装置２００に接続されたＡＶマウスなどといわれるような無線操作信号送信手段であるリモコン信号送信部３３０によって、表示装置１００およびベース装置２００を中継して遠隔操作することが可能な双方向通信システムとして、例えば、特開２００２−３４０２３号公報（特許文献１）のようなものがある。
【０００３】
このシステムは表示装置１００のＬＣＤ（Ｌｉｑｕｉｄ  Ｃｒｙｓｔａｌ  Ｄｉｓｐｌａｙ）１１０にタッチパネル１１５を積層させた表示画面上にソフトリモコンなどといわれるリモートコマンダ（以下、リモコンと称する。）表示１１１を行い、ソフトウェアによって所望のキー操作を実現するものである。
【０００４】
図７に上述の双方向通信システムの例のブロック線図を示す。表示装置１００のリモコン表示１１１がされている状態で、所望の操作キー１１２を図示しないタッチペン等で押下すると、タッチパネルコントローラ１１６がタッチパネル１１５の押下された位置を検出し、検出された画面上の位置に応じてどの操作キーが押されたかを判断する。
【０００５】
そして、押下された操作キー１１２に応じた操作信号が、ＣＰＵ（Ｃｅｎｔｒａｌ  Ｐｒｏｃｅｓｓｉｎｇ  Ｕｎｉｔ  ）バスＩ／Ｆ（インターフェイス）１０４を介しＣＰＵバス１１５を通じて中央処理装置のＣＰＵ１０５に供給され、ネットワーク通信部１０６から有線または無線のネットワーク３２０を介してベース装置２００のネットワーク通信部２０１に送信される。このネットワーク３２０は、例えばＩＥＥＥ８０２．１１規格準拠の無線ＬＡＮや有線のＥｔｈｅｒｎｅｔ（登録商標）（登録商標）等が適用できる。
【０００６】
そして、ベース装置２００側のＣＰＵ２０２に供給されて、ＣＰＵバス２１５、ＣＰＵバスＩ／Ｆ２０３を介してマイコン（ｍｉｃｒｏｐｒｏｃｅｓｓｏｒ）２０４などの信号処理装置によりアナログ信号に変換し、リモコン信号出力部２０５を経て、リモコン信号送信部３３０からの無線信号が到達する位置に配置されたＤＶＤプレーヤ３００に操作信号が送信され、このＤＶＤプレーヤ３００が動作する。
【０００７】
そして、この操作信号に応じたＤＶＤプレーヤ３００からの映像データ等の情報信号をベース装置２００に供給し、例えばＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ  ）デコーダ２３１、ＭＰＥＧ（Ｍｏｖｉｎｇ  Ｐｉｃｔｕｒｅ  Ｅｘｐｅｒｔｓ  Ｇｒｏｕｐ）２エンコーダ２３２等を経て、それぞれ映像データの所定の復号、圧縮が行われＣＰＵバスＩ／Ｆ２０３、ＣＰＵバス２１５を介して、ＣＰＵ２０２に供給され、ネットワーク通信部２０１よりネットワーク３２０を通じてベース装置１００のネットワーク通信部１０６に供給される。そして、ネットワーク通信部１０６からＣＰＵ１０５に供給されて、ＣＰＵバス１１５、ＣＰＵバスＩ／Ｆを介して、ＭＰＥＧ２デコーダ１３１に供給される。
【０００８】
ＭＰＥＧ２デコーダ１３１により情報信号が復号され、例えば映像信号は図示しないグラフィック等を介して所定処理が行われた後ＬＣＤ１１０に表示され、また音声信号は図示しない増幅器等を介して表示装置１００に設けられた図示しないスピーカに供給され放音される。このように、表示装置１００から離れた位置にあるＤＶＤプレーヤ３００を、ＬＣＤ１１０に表示されるリモコン表示の操作キー１１２より操作することができる。
【０００９】
このシステムでは、ＬＣＤ１１０に表示されたリモコン表示１１１の各操作ボタンの位置を、接続された外部入力装置の操作信号に対応付けるためのメーカー別／機種カテゴリー別変換テーブル（ソフトウェア）を出荷時などにあらかじめモニタ装置の機器内に持つ必要がある。
【００１０】
使用者はＤＶＤリモコン３１０を操作する前に、ベース装置２００に接続した操作したい外部入力装置のメーカー名と機種カテゴリーを表示装置画面上の設定画面などからあらかじめ選択入力して、機器内の図示しない記録媒体にその設定情報を記憶登録し、用意されている変換テーブルと外部入力装置を対応づける作業を行う。
【００１１】
登録後は、表示装置画面上のリモコン表示１１１の各操作ボタンをタッチパネル１１５などのポインティングデバイスによって、使用者が選択すると、それに対応した操作信号がその外部入力装置のメーカーにより決定されている搬送波で変調されて、リモコン信号送信部３３０からＤＶＤプレーヤ３００などの外部入力装置に出力され、使用者はＬＣＤ１１０を見ながらタッチパネル１１５をタッチするだけで、簡単に外部入力装置の遠隔操作を行うことができる。
【００１２】
一方で、図６に示すような、使用者がＤＶＤプレーヤ３００の専用リモコンとして付属されてくるＤＶＤリモコン３１０を操作して赤外線操作信号を送信し、表示装置１００が赤外線受光部１０１にてＤＶＤリモコン３１０の操作信号を受光して、ベース装置２００に接続されたＤＶＤプレーヤ３００を遠隔操作するようにしたものとして、例えば、本願出願人の特願２００２−０５９１２９号公報（特許文献２）に記載のように、受光した赤外線操作信号から搬送波を除去した後の信号をサンプリングしてデータ化し、そのデータをベース装置にネットワークを通じて転送した後、再度搬送波を乗せて操作信号を復元してＡＶマウスからＤＶＤプレーヤに出力するという技術がある。
【００１３】
図８に上述の双方向通信システムの例のブロック線図を示す。この図８において、図７と対応する部分には同一符号を付して示す。表示装置１００にはＤＶＤリモコン３１０より送信される赤外線操作信号を受光する赤外線受光部１０１、赤外線受光部１０１で受光した赤外線操作信号の搬送波成分を除去する搬送波除去部１０２、搬送波成分の除去された操作信号をデジタルデータ化するマイコン（ｍｉｃｒｏｐｒｏｃｅｓｓｏｒ）１０３を有し、マイコン１０３でデジタルデータ化された操作信号は、ＣＰＵバスＩ／Ｆ１０４、ＣＰＵバス１１５を介してＣＰＵ１０５に供給され、ＣＰＵ１０５は操作信号をネットワーク通信部１０６よりネットワーク３２０を介してベース装置２００に送信する。表示装置１００のその他の構成は図７例と同様である。また、図８のベース装置２００の構成についても図７例と同様である。
【００１４】
図８例のシステムの動作について、図１０に示すフローチャートを参照して説明する。まず、ＤＶＤリモコン３１０を操作して表示装置１００の赤外線受光部１０１に対し赤外線操作信号を発信する。表示装置１００は赤外線受光部１０１にて赤外線操作信号を受信し、増幅処理およびリミッタ処理が行われて（ステップＳ１）、搬送波除去部１０２に供給されて搬送波成分が除去された後、マイコン１０３にてアナログ／デジタル変換してデジタルデータ化される（ステップＳ３）。
【００１５】
このときの、赤外線受光部１０１より搬送波除去部１０２へ送信される操作信号、搬送波除去部１０２により搬送波成分を除去された操作信号、マイコン１０３にてアナログ／デジタル変換された操作信号をそれぞれ、図９（Ａ）、（Ｂ）、（Ｃ）に示す。
【００１６】
図９（Ａ）に示すような赤外線受光部１０１で受信したリモコン信号の操作信号から搬送波を除去すると、図９（Ｂ）に示すようなパルス波形が得られ、これを符号化して図９（Ｃ）のような形態となる。この例では、図９（Ｂ）に示すように、オン信号の長さで符号を決定しており、例えば、ｂ部に対しａ部は２倍の長さがあるが、デジタル化されたときの符号は、図９（Ｃ）のように、ｂ部が”０”、ａ部が”１”となるようにしている。尚、符号の決定方法についてはこの例に限るものではない。
【００１７】
そして、このデジタルデータ化された操作信号はＣＰＵバスＩ／Ｆ１０４、ＣＰＵバス１１５を介してＣＰＵ１０５に供給され、ネットワーク通信部１０６からネットワーク３２０を通じてベース装置２００に送信される（ステップＳ４）。
【００１８】
そしてさらに、この操作信号はネットワーク通信部２０１を介してＣＰＵ２０２に供給され、ＣＰＵバス２１５、ＣＰＵバスＩ／Ｆ２０３を介してマイコン２０４に供給される。このマイコン２０４では供給されるデジタルデータに基き操作信号をアナログ信号に復元する（ステップＳ５）。
【００１９】
復元された操作信号はリモコン信号出力部２０５を介してリモコン信号送信部３３０よりＤＶＤプレーヤ３００に無線送信されて（ステップＳ６）、この操作信号に応じてＤＶＤプレーヤ３００を動作させる。  そして、図７例と同様にＤＶＤプレーヤ３００より映像データなどの情報信号がベース装置２００に供給され、ベース装置２００より表示装置１００に対し情報信号を送信され、ＬＣＤ１１０に表示される映像や放音される音声を使用者が楽しむことができる。
【００２０】
【特許文献１】
特開２００２−３４０２３号公報
【特許文献２】
特願２００２−０５９１２９号公報
【００２１】
【発明が解決しようとする課題】
しかしながら、特許文献１のようなシステムは、ベース装置２００に接続された外部入力装置３００が上述の変換テーブルに登録されている機種でない場合は操作することができないし、また、この変換テーブルにメーカー登録されていても操作信号の登録がなされていない場合、このシステムを介すと付属リモコンでできる操作の一部しか実行できない不都合があった。
【００２２】
また、通常、リモコンからの赤外線操作信号の搬送波は約３２ｋＨｚ〜４０ｋＨｚの間でメーカー毎に異なるものである。しかし、特許文献２に記載の方法は、搬送波を除去する際に搬送波周波数を判別する機能と、その判別情報を基にリモコン信号を復元する際に搬送波まで精度良く復元する機能がないため、単一の搬送波周波数の赤外線操作信号しか発信できない。以上のことから、メーカー毎に異なる搬送波周波数に対応できないので、異なるＡＶ機器メーカーの機器のリモコン操作をするときに誤動作を招くおそれがある不都合があった。
【００２３】
斯かる点に鑑み、本発明は、異なる搬送波周波数で変調された複数メーカーのＡＶ機器のリモコン操作を行うことができる信号伝送方法、双方向通信システム、表示装置およびベース装置を提案することを目的とする。
【００２４】
【課題を解決するための手段】
本発明信号伝送方法は、外部入力装置の遠隔操作手段より中継機器に無線信号で送られてくる操作信号を搬送波を含んだ状態でサンプリング処理してデジタルデータ化し、該データを基にこの操作信号を復元し、当該中継機器と接続された外部入力装置に対し復元されたこの操作信号の無線信号を送信するようにしたものである。
【００２５】
斯かる本発明によれば、遠隔操作手段より中継機器に無線信号で送られてくる操作信号を搬送波を含んだ状態でサンプリング処理してデジタルデータ化し、該データを基にこの操作信号を復元し、復元された操作信号を外部入力装置に無線送信するようにしたので、遠隔操作信号の搬送波成分の周波数に関係なく、任意の外部入力装置をこの中継機器を介して付属の遠隔操作手段より遠隔操作することができる。
【００２６】
本発明信号伝送方法は、外部入力装置の遠隔操作手段より中継機器に無線信号で送られてくる操作信号の搬送波の周波数を判別するとともにこの操作信号の搬送波成分を除去して得られる信号をデジタルデータ化し、この周波数判別情報およびこのデータを基にこの操作信号を再生し、当該中継機器と接続された外部入力装置に対し再生されたこの操作信号の無線信号を送信するようにしたものである。
【００２７】
斯かる本発明によれば、遠隔操作手段より中継機器に無線信号で送られてくる操作信号の搬送波の周波数を判別するとともにこの操作信号の搬送波成分を除去して得られる信号をデジタルデータ化し、この周波数判別情報およびこのデータを基にこの操作信号を再生し、再生された操作信号を外部入力装置に無線送信するようにしたので、遠隔操作信号の搬送波成分の周波数に関係なく、任意の外部入力装置をこの中継機器を介して付属の遠隔操作手段より遠隔操作することができる。
【００２８】
【発明の実施の形態】
以下、図１〜図５を参照して、本発明双方向通信システム、表示装置およびベース装置の実施の形態の例につき説明する。図１、図３、図５において、図６、図７、図８にそれぞれ対応する部分については同一符号を付して示し詳細な説明は省略する。
【００２９】
図５に、この発明による双方向通信システムが適用されるシステム構成の一例を示す。  この図５に示すように、例えばこの実施の形態の双方向通信システムは、表示装置１００、ベース装置２００、外部入力装置として例えばＤＶＤ（Ｄｉｇｉｔａｌ  Ｖｅｒｓａｔｉｌｅ  Ｄｉｓｃ）プレーヤ３００、そしてこのＤＶＤプレーヤ３００を離れたところから操作可能にするＤＶＤリモートコマンダ（以下、リモコンと称する。  ）３１０とからなる。
【００３０】
この外部入力装置としては、リモコンで遠隔操作される機器であればＤＶＤプレーヤに限るものでなく、テレビジョン放送信号を受信するアンテナを備えテレビジョン放送を選局するチューナ、ＶＣＲ（ビデオ・カセット・レコーダ）等、その他種々のものが適用できる。また、これらの機器をベース装置に同時に複数台接続して、それぞれの機器に付属のリモコンによりその中から１台の機器を選択的に遠隔操作するようにしてもよい。
【００３１】
表示装置１００は、この発明による表示装置が適用されたものであり、この表示素子としてＬＣＤ１１０を備えたものである。  この表示装置１００は、無線または有線通信によりベース装置２００と接続され、ベース装置２００からの情報信号を受信することができるとともに、ＤＶＤプレーヤ３００を操作するためのＤＶＤリモコン３１０からの例えば赤外線のリモコン信号を受光する赤外線受光部１０１を備え、ベース装置２００に対して操作信号を送信することができるものである。
【００３２】
ベース装置２００は、この発明によるベース装置が適用されたものであり、この実施の形態のベース装置２００は、後述もするように、外部入力端子を備え、外部入力装置としてこの例ではＤＶＤプレーヤ３００が接続され、ＤＶＤに記録された映像データおよび音声データ等の情報信号を光ピックアップにより読み取って再生したり外部からの映像データなどを記録したりする。
【００３３】
そして、ベース装置２００は、ＤＶＤプレーヤ３００のＤＶＤに記録されている映像データや音声データ等を符号化圧縮等して表示装置１００に送信してＬＣＤ１１０に表示等して使用者が視聴することができる。
【００３４】
表示装置１００は、ベース装置２００からの情報信号を受信して復調し、復調した情報信号から映像信号を抽出して、この映像信号に応じた映像をＬＣＤ１１０に表示するとともに、復調した情報信号から音声信号を抽出して、この音声信号に応じた音声を図示しないスピーカから放音する。
【００３５】
ベース装置２００には、ＡＶマウスなどと呼ばれる例えば赤外線操作信号（以下、リモコン信号と称する。）を送出するリモコン信号送信部３３０が、リモコン信号送信部３３０との接続端子２４２を通じて接続されており、表示装置１００からの操作信号に応じたリモコン信号を形成し、これをリモコン信号送信部３３０からＤＶＤプレーヤ３００に送信する。
【００３６】
ＤＶＤプレーヤ３００は、ＤＶＤリモコン３１０からのリモコン信号を受光するためのフォトディテクタなどからなるリモコン信号受光部３０１を備えており、ベース装置２００に接続され、そのリモコン信号がリモコン信号受光部３０１に届く位置に配置された、リモコン信号送信部３３０からのリモコン信号を受光して、そのリモコン信号に応じた制御、例えば、電源のオン／オフや、表示する映像の変更を行うなどの遠隔操作をすることができる。
【００３７】
したがって、使用者は、ＤＶＤリモコン３１０から表示装置１００に向けて赤外線リモコン信号を送信しＤＶＤプレーヤ３００に対する操作入力を行って、表示装置１００およびベース装置２００を通じてＤＶＤプレーヤ３００を遠隔操作することができ、例えば、ＬＣＤ１１０に表示された映像を切り換えるなどすることができる。
【００３８】
このように、表示装置１００とベース装置２００との間においては、双方向に無線または有線による通信が可能であり、また、ベース装置２００と外部入力装置３００との間においても双方向に通信が可能なようにされている。
【００３９】
図１に、この実施の形態の双方向通信システムのブロック線図を示す。まず、表示装置１００について説明する。図中に示すように、表示装置１００は、赤外線受光部１０１、サンプリング部１２１、搬送波除去部１０２、マイコン（ｍｉｃｒｏｐｒｏｃｅｓｓｏｒ）１０３、ＣＰＵバスＩ／Ｆ１０４、ＣＰＵ（Ｃｅｎｔｒａｌ  Ｐｒｏｃｅｓｓｉｎｇ  Ｕｎｉｔ  ）１０５、ネットワーク通信部１０６、ＭＰＥＧ２デコーダ１３１等を備えている。
【００４０】
この実施の形態の表示装置１００の各部は、ＣＰＵ１０５などからなる制御部によって制御するようにされている。  ＣＰＵ１０５にはＰＣＩバスなどのＣＰＵバス１１５を介して、図示しないが各種の処理プログラムや処理に必要なデータなどが記録されたＲＯＭ（Ｒｅａｄ  Ｏｎｌｙ  Ｍｅｍｏｒｙ）、主に各種の処理の作業領域として用いられるＲＡＭ（Ｒａｎｄｏｍ  Ａｃｃｅｓｓ  Ｍｅｍｏｒｙ）、不揮発性のメモリであるＥＥＰＲＯＭ（Ｅｌｅｃｔｒｉｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等が接続されている。
【００４１】
赤外線受光部１０１は、外部入力装置のＤＶＤプレーヤ３００を操作するＤＶＤリモコン３１０からの赤外線リモコン信号を受光する遠隔操作信号受信手段であり、受光するリモコン信号は微弱であるので信号増幅する図示しない増幅回路を通した後、リミッタ回路を経てサンプリング部１２１および搬送波除去部１０２に出力される。
【００４２】
サプリング部１２１は、赤外線受光部１０１から受信した、図９（Ａ）に示す波形の搬送波成分を含んだ操作信号を、必要かつ搬送波周波数より十分に高い周波数で搬送波ごとサンプリングし、デジタルデータ化するサンプリング処理手段であり、このデジタルデータはＣＰＵバスＩ／Ｆ１０４を介してＣＰＵ１０５に供給される。  サンプリング周波数は高いほど後述するベース装置２００側での操作信号の復元精度が増すが、必要以上に高くするとデジタルデータのデータ量が増大し、処理にかかる時間やメモリ容量も増大するので、適切なサンプリング周波数を選択するようにする。
【００４３】
搬送波除去部１０２は、赤外線受光部１０１から受信した操作信号から搬送波成分を除去し、図９（Ｂ）に示すようなパルス波形信号を得る搬送波除去手段であり、このパルス波形信号をマイコン１０３に出力する。
【００４４】
マイコン１０３は、搬送波除去部１０２から出力されたパルス波形信号をアナログ／デジタル変換し、デジタルデータ化するデジタル変換手段であり、デジタルデータ化された操作信号１０３ａはＣＰＵバスＩ／Ｆ１０４からＣＰＵバス１１５を介しＣＰＵ１０５に供給される。
【００４５】
マイコン１０３にてデジタルデータ化された操作信号は、外部入力装置のリモコンから送られてくるリモコン信号のコードとして利用され、一般に、テレビジョン受像機やＶＣＲといったその商品のカテゴリーを表すカテゴリーコードの情報と、リモコンの操作キーに基く制御内容を表すリモコンコードの情報を含むものである。
【００４６】
したがって、このコード構成を調べることにより、ＤＶＤリモコン３１０から表示装置１００に対して発信されたリモコン信号が、自機即ち表示装置またはベース装置に対する制御信号か、あるいはＤＶＤプレーヤ３１０等の外部入出力装置に対する制御信号かを判断することができる。
【００４７】
また、上述の自機に対する制御信号が、例えば表示装置１００を購入時に付属してくる図示しない自機専用リモコンから発信された場合も同様である。
【００４８】
また、このマイコン１０３は搬送波除去部１０２からのパルス波形信号から、赤外線受光部１０１で受信したリモコン信号が正常なリモコン信号であるか否かを判断する機能を有し、正常でないものやノイズ等によってリモコン信号として読みとることができない信号などについてはこれを排除することができる。例えば、正常なリモコン信号であると判断した場合のみ、サンプリング部１２１でサンプリング処理された操作信号をＣＰＵバスＩ／Ｆ１０４からＣＰＵバス１０５に乗せてＣＰＵ１０５に送信する許可を与える許可信号１０３ｂを、マイコン１０３からＣＰＵバスＩ／Ｆ１０４に出力するようにする。
【００４９】
即ち、この例では、マイコン１０３において赤外線受光部１０１が受信したリモコン信号が正常であると判断された場合、送信許可信号１０３ｂが出力され操作信号１０３ａおよびサンプリング部１２１からの操作信号がＣＰＵバスＩ／Ｆ１０４、ＣＰＵバス１１５を介してＣＰＵ１０５に送信される。一方、リモコン信号が正常でないと判断された場合、送信許可信号１０３ｂは出力されず、ＣＰＵ１０５への操作信号の送信は行われない。
【００５０】
制御手段としてのＣＰＵ１０５は、マイコン１０３からの操作信号１０３ａおよびサンプリング部１２１からの操作信号を受信すると、操作信号１０３ａのコード情報を調べ、表示装置１００に対し送信されたリモコン信号がＤＶＤプレーヤ３００に対する制御信号であるか自機に対する制御信号であるかを判断する。
【００５１】
上述リモコン信号がＤＶＤプレーヤ３００に対する制御信号であると判断されたときは、ＣＰＵ１０５はサンプリング部１２１からの操作信号をネットワーク通信部１０６を通じてベース装置２００へ送信する。
【００５２】
一方、上述リモコン信号の制御内容が自機に対するものであると判断されたときは、サンプリング部１２１からの操作信号はベース装置２００には送信されず、ＣＰＵ１０５はそのリモコン信号の制御内容に応じてモニタ装置１００および／またはベース装置２００が動作するよう制御し、必要があればマイコン１０３からの操作信号１０３ａをベース装置２００に送信する。
【００５３】
このように構成することで、表示装置１００の赤外線受光部１０１で受光したリモコン信号を必要なときに必要な信号だけをベース装置２００に送信すればよいので、無駄なデータ通信をしなくて済み、表示装置１００とベース装置２００と間のデータ通信に係る負荷を軽減することができる。
【００５４】
上述例において、表示装置１００に送信されたリモコン信号がＤＶＤプレーヤ３００に対する制御信号であるか自機に対する制御信号であるかをＣＰＵ１０５にて判断するようにしたが、この判断をマイコン１０３にて行うようにしてもよい。  即ち、マイコン１０３にて、赤外線受光部１０１が受信したリモコン信号が正常であるか否かを調べて出力する送信許可信号１０３ｂに加え、上述の判断結果を出力するようにする。
【００５５】
例えば、リモコン信号が正常かつＤＶＤプレーヤ３００に対する制御信号である場合に、送信許可信号１０３ｂとともにＤＶＤプレーヤ３００に対する制御信号であるという判断結果を出力し（図示せず）、サンプリング部１２１からの操作信号をＣＰＵバス１１５に乗せてベース装置２００に送信する。また、リモコン信号が正常であっても自機に対する制御信号である場合には、送信許可信号１０３ｂのみが出力され、マイコン１０３の操作信号１０３ａがＣＰＵ１０５へ送信されるようにする。
【００５６】
このように構成することで、上述のリモコン信号が外部入力装置に対する制御信号であるか否かをＣＰＵ１０５で判断する場合の効果に加え、ＣＰＵ１０５の処理に係る負荷の軽減およびＣＰＵバス１１５のトラフィックの減少に寄与することができる。
【００５７】
操作信号送信手段であるネットワーク通信部１０６は、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ）８０２．  １１規格準拠等の無線、またはＥｔｈｅｒｎｅｔ（登録商標）などの有線のネットワーク３２０を通じてデータを送受信することが可能であり、ネットワーク３２０を通じて表示装置１００からの操作信号をベース装置２００に送信する。
【００５８】
表示装置１００のＣＰＵバスＩ／Ｆ１０４には、ベース装置２００を通じてＤＶＤプレーヤ３００から送信されるデータ圧縮された映像データや音声データ等の情報信号をデコードする、例えば、ＭＰＥＧ２デコーダ１３１が接続され、映像信号および音声信号とに分離され、伸長する如くする。  そして、映像信号は図示しないグラフィックスなどの処理を経てＬＣＤ１１０に映像として表示され、また音声信号は音声信号増幅回路を経てスピーカから放音される。
【００５９】
次に、ベース装置２００について説明する。  図１に示すように、表示装置２００は、ネットワーク通信部２０１、ＣＰＵ２０２、ＣＰＵバスＩ／Ｆ１０４、リモコン信号復元部２２１、ＮＴＳＣデコーダ２３１、ＭＰＥＧ２エンコーダ２３２を備えている。
【００６０】
この実施の形態のベース装置２００の各部は、ＣＰＵ２０２などからなる制御部によって制御するようにされている。  ＣＰＵ２０２にはＰＣＩバスなどのＣＰＵバス２１５を介して、図示しないが各種の処理プログラムや処理に必要なデータなどが記録されたＲＯＭ、主に各種の処理の作業領域として用いられるＲＡＭ、不揮発性のメモリであるＥＥＰＲＯＭ等が接続されている。
【００６１】
操作信号受信手段であるネットワーク通信部２０１は、上述のネットワーク通信部１０６と同様、ＩＥＥＥ８０２．  １１やＥｔｈｅｒｎｅｔ（登録商標）規格の、無線または有線のネットワークを通じてデータの送受信を行うことができ、表示装置１００から送信される操作信号のデータを受信することができ、そのデータをＣＰＵ２０２に供給する。
【００６２】
ＣＰＵ２０２は、ネットワーク通信部２０１から受信した操作信号のデータから、この操作信号が自機に対するものか、ＤＶＤプレーヤ３００に対するものか判断する。受信したデータがサンプリング部１２１からのデータである場合、ＰＣＩバス等のＣＰＵバス２１５およびＣＰＵバスＩ／Ｆ２０３を介してリモコン信号復元部２２１に送信される。一方、受信したデータがマイコン１０３からの操作信号１０３ａである場合、この操作信号に含まれるリモコンコードに従い、ベース装置２００を制御する。
【００６３】
リモコン信号復元部２２１は、ＣＰＵ２０２からのデータをＣＰＵバス２１５およびＣＰＵバスＩ／Ｆ２０３を介してデータを受信し、このデータからデジタル／アナログ変換を行い、表示装置１００の赤外線受光１０１で受光したリモコン信号の操作信号を復元する操作信号復元手段であり、復元された操作信号はリモコン信号送信部３３０に送信される。
【００６４】
リモコン信号送信部３３０は、リモコン信号復元部２２１より受信した操作信号を赤外線のリモコン信号にして、ＤＶＤプレーヤ３００に送信する無線操作信号送信手段である。
【００６５】
外部入力装置のＤＶＤプレーヤ３００は、リモコン信号送信部３３０からのリモコン信号を受信して、このリモコン信号の制御内容に応じた制御を行い、例えば、ベース装置２００のＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ  ）デコーダ２３１にビデオ信号を送信する如くする。
【００６６】
ＮＴＳＣデコーダ２３１は、ＤＶＤプレーヤ３００からのビデオ信号をＮＴＳＣ方式で復調し、この復調されたビデオ信号をＭＰＥＧ２エンコーダ２３２に送信する。そして、このＭＰＥＧ２エンコーダ２３２で符号化圧縮されたビデオ信号をベース装置２００よりネットワーク３２０を介して表示装置１００に送信するようにする。
【００６７】
次に、図２に示すフローチャートを参照して、本例の信号伝送方法について説明する。まず、使用者がＤＶＤリモコン３１０から表示装置１００の赤外線受光部１０１へ向けて赤外線リモコン信号を送信すると、表示装置１００の赤外線受光部１０１ではこの赤外線リモコン信号の操作信号を受信し（ステップＳ１１）、図示しない増幅回路およびリミッタ回路を経て、それぞれ増幅処理およびリミッタ処理が行われる（ステップＳ１２）。
【００６８】
そして、増幅処理およびリミッタ処理が終了後、この操作信号はサンプリング部１２１および搬送波除去部１０２にそれぞれ送信される。サンプリング部１２１は、搬送波成分を含んだままの操作信号を所定の適切なサンプリング周波数でサンプリング処理を行いデジタルデータ化する（ステップＳ１３）。
【００６９】
一方、搬送波除去部１０２に送信された操作信号は、搬送波成分が除去されパルス波形信号となってマイコン１０３に送信され、このマイコン１０３によりアナログ／デジタル変換されデジタルデータ化される（ステップＳ１４）。
【００７０】
ここで、マイコン１０３はこの操作信号が正常な信号であるか否か判断するとともに、ＤＶＤリモコン３１０から表示装置１００に対し送信された操作信号が自機に対する制御信号か否かを判断する。または、上述したようにこの操作信号が自機に対するものか否かをＣＰＵ１０５に判断させるようにしてもよい（ステップＳ１５）。
【００７１】
操作信号が自機、特に表示装置１００に対しての制御信号である場合、表示装置１００は操作信号１０３ａの制御信号に応じた制御、例えば音量調整や明るさ調整などを行うようにする（ステップＳ１６）。
【００７２】
また、操作信号が自機に対する制御信号でなくＤＶＤプレーヤ３００に対するものである場合、サンプリング部１２１からのサンプリング処理された操作信号はネットワーク３２０を通じてネットワーク通信部１０６よりベース装置２００のネットワーク通信部２０１に送信され、そしてＣＰＵ２０２へと送信される（ステップＳ１７）。
【００７３】
ここで、ＣＰＵ２０２は表示装置１００から受信した操作信号が、自機即ちベース装置への制御信号か、ＤＶＤプレーヤ３００への制御信号なのかを判断する（ステップＳ１８）。
【００７４】
この操作信号が自機、特にベース装置２００への制御信号である場合、例えば電源を切断する、ソースを切り替える等、この操作信号の制御内容に応じた動作を行うようにする（ステップＳ１６）。
【００７５】
また、ＤＶＤプレーヤ３００に対する操作信号である場合、操作信号はＣＰＵ２０２よりＣＰＵバス２１５およびＣＰＵバスＩ／Ｆ２０３を介してリモコン信号復元部２２１へと供給され、デジタルデータからデジタル／アナログ変換されて赤外線受光部１０１で受光した操作信号に復元される（ステップＳ１９）。
【００７６】
そして、操作信号復元部２２１からリモコン信号送信部３３０に操作信号が送信され、このリモコン信号送信部３３０から、赤外線リモコン信号がベース装置２００に接続されたＤＶＤプレーヤ３００に送信される（ステップＳ２０）。
【００７７】
この赤外線リモコン信号を受信したＤＶＤプレーヤ３００では、このリモコン信号の制御内容に応じた制御・処理が行われた後、ＤＶＤプレーヤ３００からベース装置２００のＮＴＳＣデコーダ２３１にビデオ信号が送信され、ＭＰＥＧ２エンコーダ２３２へ入力され所定形式のデータに変換される。そして、ネットワーク３２０を経由してベース装置２００から表示装置１００にビデオ信号が送信され、ＭＰＥＧ２デコーダ１３１を通じて映像信号および音声信号に分離され、所定の処理を経て、使用者はＬＣＤ１１０に表示される映像やスピーカから放音される音声を楽しむことができる。
【００７８】
以上述べたように、表示装置１００は受信したＤＶＤリモコン３１０の赤外線リモコン信号の搬送波成分を除去せずそのままサンプリング処理してデジタルデータ化し、ネットワーク経由でベース装置２００に送信し、このデータをベース装置２００でデジタル／アナログ変換してリモコン信号を復元して、リモコン信号送信部３３０からＤＶＤプレーヤ３００に無線送信するようにしたので、搬送波の周波数、即ちＤＶＤプレーヤ３００のメーカーに関係なく、表示装置１００に向けてリモコン信号を発信し、ネットワーク３２０を介し、ベース装置２００に接続されたＤＶＤプレーヤ３００を遠隔操作することができる。
【００７９】
次に、図３に、双方向通信システムの実施の形態の他の例のブロック線図を示す。図３において、図１、図７、図８に対応する部分については同一符号を付しその詳細説明は省略する。
【００８０】
まず、表示装置１００について説明する。  図３に示すように、表示装置１００は、赤外線受光部１０１、搬送波周波数判別部１２２、搬送波除去部１０２、マイコン１０３、ＣＰＵバスＩ／Ｆ１０４、ＣＰＵ１０５、ネットワーク通信部１０６、ＭＰＥＧ２デコーダ１３１等を備えている。
【００８１】
図１例と同様、表示装置１００の各部は、例えばＣＰＵ１０５からなる制御部によって制御されるようになされており、ＣＰＵ１０５にはＰＣＩバスなどのＣＰＵバス１１５を介して、図示しないＲＯＭ、ＲＡＭ、ＥＥＰＲＯＭ等が、ＣＰＵバス１１５を通じて接続されている。
【００８２】
ＤＶＤリモコン３１０から発信されたリモコン信号を受信する遠隔操作信号受信手段である赤外線受光部１０１は、この操作信号を搬送波周波数判別部１２２および搬送波除去部１０２に送信する。
【００８３】
搬送波周波数判別部１２２は、赤外線受光部１０１から受信したリモコン信号の操作信号の搬送波周波数を判別する搬送波判別手段であり、例えば図示しないＥＥＰＲＯＭ等に、搬送波周波数とメーカーとを対応させたテーブルを持ち、判別した周波数からＤＶＤリモコン３１０、即ちＤＶＤプレーヤ３００のメーカーを特定し、周波数判別情報を作成する。
【００８４】
一方、赤外線受光部１０１からの操作信号は、搬送波除去部１０２を通じてマイコン１０３に送信される。マイコン１０３は、搬送波除去部１０２から受信したパルス波形信号をアナログ／デジタル変換し、デジタルデータ化するデジタル変換手段である。
【００８５】
ここで、図１例と同様に、マイコン１０３はこの操作信号が正常な信号であるか否か判断するとともに、ＤＶＤリモコン３１０から表示装置１００に対し送信された操作信号が自機に対する制御信号か否かを判断する。または、この操作信号が自機に対するものか否かをＣＰＵ１０５に判断させるようにしてもよい。
【００８６】
上述の操作信号が正常な信号であり、かつその制御内容がＤＶＤプレーヤ３００に対するものである場合、周波数判別情報とマイコン１０３からの操作信号１０３ａはＣＰＵバスＩ／Ｆ１０４からＣＰＵバス１１５を介してＣＰＵ１０５に送信され、ネットワーク通信部１０６へと送信される。
【００８７】
一方、上述リモコン信号が正常な信号であってもその制御内容が自機に対するものである場合、周波数判別情報はベース装置２００には送信されず、ＣＰＵ１０５はそのリモコン信号の制御内容に応じてモニタ装置１００および／またはベース装置２００が動作するよう制御し、必要があればマイコン１０３からの操作信号１０３ａをベース装置２００に送信する。
【００８８】
次に、ベース装置２００について説明する。  図３に示すように、表示装置２００は、例えばネットワーク通信部２０１、ＣＰＵ２０２、ＣＰＵバスＩ／Ｆ１０４、搬送波生成部２２２、マイコン２１４、搬送波重畳部２２３、ＮＴＳＣデコーダ２３１、ＭＰＥＧ２エンコーダ２３２を備えている。
【００８９】
図１例と同様、ベース装置２００の各部は、ＣＰＵ２０２からなる制御部によって制御するようにされており、ＣＰＵ２０２にはＰＣＩバスなどのＣＰＵバス２１５を介して、図示しないＲＯＭ、ＲＡＭ、ＥＥＰＲＯＭ等が、ＣＰＵバス２１５を通じて接続されている。
【００９０】
ＣＰＵ２０２は、ネットワーク通信部２０１から受信した操作信号のデータから、この操作信号が自機に対するものか、ＤＶＤプレーヤ３００に対するものか判断する。受信したデータが搬送波周波数判別部１２２からのデータを含む場合、ＰＣＩバス等のＣＰＵバス２１５およびＣＰＵバスＩ／Ｆ２０３を介して、搬送波生成部２２２に搬送波判別情報が送信されるとともに、マイコン２１４にマイコン１０３からの操作信号がそれぞれ送信される。一方、受信したデータがマイコン１０３からの操作信号１０３ａのみの場合、この操作信号１０３ａに含まれるリモコンコードに従い、ベース装置２００を制御する。
【００９１】
搬送波生成部２２２は、ＣＰＵ２０２から受信した搬送波判別情報より、搬送波除去部１０２で除去されたものと同じ搬送波を生成する搬送波生成手段であり、生成した搬送波を搬送波重畳部２２３に送信する。
【００９２】
マイコン２１４は、表示装置１００から送られてきた操作信号のデジタルデータを、デジタル／アナログ変換して上述のマイコン１０３にてデジタル変換される前のパルス波形信号に戻すアナログ変換手段であり、このパルス波形の操作信号を搬送波重畳部２２３に送信する。
【００９３】
搬送波重畳部２２３は、搬送波生成部２２２からの搬送波に、マイコン２１４から供給されるパルス波形の操作信号を重畳し、表示装置１００の赤外線受光部１０１が受信した赤外線リモコン信号の操作信号を再生する操作信号再生手段であり、再生された操作信号はリモコン信号送信部３３０に送信され、リモコン信号送信部３３０からＤＶＤプレーヤ３００に送信される。
【００９４】
次に、図４に示すフローチャートを参照して、本例の信号伝送方法について説明する。まず、ＤＶＤリモコン３１０から表示装置１００の赤外線受光部１０１へ向けて赤外線リモコン信号を送信する。表示装置１００の赤外線受光部１０１ではこの赤外線リモコン信号の操作信号を受信し（ステップＳ２１）、図示しない増幅回路およびリミッタ回路を経て、それぞれ増幅処理およびリミッタ処理が行われる（ステップＳ２２）。
【００９５】
そして、増幅処理およびリミッタ処理が終了後、この操作信号は搬送波周波数判別部１２２および搬送波除去部１０２にそれぞれ送信される。搬送波周波数判別部１２２は、搬送波成分の周波数を判別して周波数判別情報を作成する（ステップＳ２３）。
【００９６】
一方、搬送波除去部１０２に送信された操作信号は、搬送波成分が除去されパルス波形信号となってマイコン１０３に送信され、このマイコン１０３によりアナログ／デジタル変換されデジタルデータ化される（ステップＳ２４）。
【００９７】
ここで、マイコン１０３はこの操作信号が正常な信号であるか否か判断するとともに、ＤＶＤリモコン３１０から表示装置１００に対し送信された操作信号が自機に対する制御信号か否かを判断する。または、上述したようにこの操作信号が自機に対するものか否かを判断するのにＣＰＵ１０５にて判断するようにしてもよい（ステップＳ２５）。
【００９８】
操作信号が自機、特に表示装置１００に対しての制御信号である場合、表示装置１００は操作信号１０３ａの制御信号に応じた制御、例えば音量調整や明るさ調整などを行うようにする（ステップＳ２６）。
【００９９】
また、操作信号が自機に対する制御信号でなくＤＶＤプレーヤ３００に対するものである場合、周波数判別情報および操作信号１０３ａが表示装置１００からネットワーク３２０を通じてベース装置２００のネットワーク通信部２０１に送信され、そしてＣＰＵ２０２へと送信される（ステップＳ２７）。
【０１００】
ここで、ＣＰＵ２０２は表示装置１００から受信した操作信号が、自機即ちベース装置への制御信号か、ＤＶＤプレーヤ３００への制御信号なのかを判断する（ステップＳ２８）。
【０１０１】
この操作信号が自機、特にベース装置２００への制御信号である場合、例えば電源を切断する、ソースを切り替える等、この操作信号の制御内容に応じた動作を行うようにする（ステップＳ２６）。
【０１０２】
また、ＤＶＤプレーヤ３００に対しての操作信号である場合、周波数判別情報および操作信号はＣＰＵ２０２よりＣＰＵバス２１５およびＣＰＵバスＩ／Ｆ２０３を介して、搬送波生成部２２２およびマイコン２１４へとそれぞれ供給される。
【０１０３】
搬送波生成部２２２は、周波数判別情報からＤＶＤプレーヤ３００のメーカー情報を知ることができ、このメーカーの使用する周波数で搬送波を生成し、搬送波重畳部２２３にてこの生成した搬送波をマイコン２１４からのパルス波形信号の操作信号に重畳し、リモコン信号を再生する（ステップＳ２９）。
【０１０４】
そして、搬送波重畳部２２３からリモコン信号送信部３３０に、再生された操作信号が送信され、このリモコン信号送信部３３０から、赤外線リモコン信号がベース装置２００に接続されたＤＶＤプレーヤ３００に送信される（ステップＳ３０）。
【０１０５】
この赤外線リモコン信号を受信したＤＶＤプレーヤ３００では、このリモコン信号の制御内容に応じた制御・処理が行われた後、ＤＶＤプレーヤ３００からベース装置２００を介して表示装置１００にビデオ信号が送信され、所定の処理を経てＬＣＤ１１０に表示される映像やスピーカから放音される音声を楽しむことができる。
【０１０６】
以上述べたように、表示装置１００は受信したＤＶＤリモコン３１０の赤外線リモコン信号の搬送波の周波数判別情報を得、この周波数判別情報を搬送波除去後の操作信号のデータとともにベース装置２００にネットワーク経由で送信し、ベース装置２００は受信した周波数判別情報を基に搬送波を生成し、この搬送波をアナログ変換された上記操作信号のデータに重畳するようにしてリモコン信号を再生し、リモコン信号送信部３３０からＤＶＤプレーヤ３００に無線送信するようにしたので、搬送波の周波数、即ちＤＶＤプレーヤ３００のメーカーに関係なく、表示装置１００に向けてリモコン信号を発信し、ネットワーク３２０を介し、ベース装置２００に接続されたＤＶＤプレーヤ３００を遠隔操作することができる。
【０１０７】
その他、図３例は、図１例と同様の作用効果が得られることは用意に理解できよう。
【０１０８】
尚、本発明は上述した実施の形態の例に限られるものではなく、本発明の要旨を逸脱することなくその他種々の構成を取り得ることは勿論である。
【０１０９】
【発明の効果】
斯かる本発明によれば、遠隔操作信号の搬送波成分の周波数に関係なく、任意の外部入力装置をこの中継機器を介して付属の遠隔操作手段より遠隔操作することができるので、異なる搬送波周波数で変調された複数メーカーの外部入力装置の遠隔操作を行うことができる。
【図面の簡単な説明】
【図１】本発明信号伝送方法が適用される双方向通信システムの実施の形態の例を示すブロック線図である。
【図２】本発明信号伝送方法の説明に供するフローチャートである。
【図３】本発明信号伝送方法が適用される双方向通信システムの実施の形態の他の例を示すブロック線図である。
【図４】本発明信号伝送方法の説明に供するフローチャートである。
【図５】本発明双方向通信システムの実施の形態の例を示す構成図である。
【図６】双方向通信システムの例を示す構成図である。
【図７】従来の信号伝送方法が適用される双方向通信システムの例を示すブロック線図である。
【図８】従来の信号伝送方法が適用される双方向通信システムの他の例を示すブロック線図である。
【図９】図８の各部における操作信号の状態を示す線図である。
【図１０】図８の双方向通信システムに適用される信号伝送方法の説明に供するフローチャートである。
【符号の説明】
１００・・・・表示装置、１０１・・・・赤外線受光部（遠隔操作信号受信手段）、１０２・・・・搬送波除去部（搬送波除去手段）、１０３・・・・マイコン（デジタル変換手段）、１１０・・・・ＬＣＤ、１２１・・・・サンプリング部（サンプリング処理手段）、１０５・・・・ＣＰＵ（制御手段）、１０６・・・・ネットワーク通信部（操作信号送信手段）、１２２・・・・搬送波周波数判別部（搬送波周波数判別手段）、２００・・・・ベース装置、２０１・・・・ネットワーク通信部（操作信号受信手段）、２１４・・・・マイコン（アナログ変換手段）、２２１・・・・リモコン信号復元部（操作信号復元手段）、２２２・・・・搬送波生成部（搬送波生成手段）、２２３・・・・搬送波重畳部（操作信号再生手段）、３３０・・・・リモコン信号送信部（無線操作信号送信手段）、３００・・・・ＤＶＤプレーヤ（外部入力装置）、３１０・・・・ＤＶＤリモコン（遠隔操作手段）、３２０・・・・ネットワーク（通信回線）
【図１】
2004241925.tif 000003
【図２】
2004241925.tif 000004
【図３】
2004241925.tif 000005
【図４】
2004241925.tif 000006
【図５】
2004241925.tif 000007
【図６】
2004241925.tif 000008
【図７】
2004241925.tif 000009
【図８】
2004241925.tif 000010
【図９】
2004241925.tif 000011
【図１０】
2004241925.tif 000012